(57)【要約】      （修正有）【課題】植物を経済的かつ効率良く、乾燥地域等においても植物を栽培することができ、かつ、結露による変色、劣化等の品質低下を防止できる農業ハウス、前記ハウスを用いた植物栽培方法を提供する。【解決手段】日中は天井部に設けた天窓５を閉鎖し、夜間は天窓５を開放する、太陽光利用の農業ハウス１であって、内部に二酸化炭素を供給するＣＯ２供給手段２と、熱線遮蔽手段３と、農業ハウス１内部を冷却する除湿冷却手段４を備え、該熱線遮蔽手段３は、波長４００〜７００ｎｍの光の平均透過率８０％以上、波長８００〜１２００ｎｍの光の平均反射率７０％以上の熱線反射フィルムで、所定の間隔で複数の貫通孔を形成。日中は天窓５を閉鎖して二酸化炭素濃度を調整し、夜間は天窓５を開放して温度調整を行う。少なくとも日中は、農業ハウス１内部の温度を３５℃以下、二酸化炭素濃度を５００〜１５００ｐｐｍおよび湿度飽差を４ｇ／ｍ３以下に制御する。【選択図】図１
2017153475.tif 000002
【特許請求の範囲】
【請求項１】
日中は天井部に設けた天窓を閉鎖し、夜間は天井部に設けた天窓を開放する、太陽光を利用する農業ハウスであって、
農業ハウス内部に二酸化炭素を供給するＣＯ２供給手段と、熱線遮蔽手段と、農業ハウス内部を冷却する除湿冷却手段などを備え、
該熱線遮蔽手段は、波長４００〜７００ｎｍの光の平均透過率が８０％以上で、波長８００〜１２００ｎｍの光の平均反射率が７０％以上である熱線反射フィルムを用いて形成されており、
該熱線遮蔽手段には、所定の間隔で複数の貫通孔が形成されていることを特徴とする農業ハウス。
【請求項２】
前記熱線反射フィルムが、屈折率が異なる少なくとも２種類の樹脂層が交互に積層された多層積層フィルムである請求項１に記載の農業ハウス。
【請求項３】
前記多層積層フィルムの前記２種類の樹脂層の少なくとも一つが、縮合型芳香環を有する樹脂からなる樹脂層である請求項２に記載の農業ハウス。
【請求項４】
前記熱線遮蔽手段に設けられる前記複数の貫通孔の開孔率が０．５〜１０％の範囲であることを特徴とする請求項１〜３のいずれかに記載の農業ハウス。
【請求項５】
前記熱線遮蔽手段は、前記熱線反射フィルムに貫通孔が穿設されている請求項１〜４のいずれかに記載の農業ハウス。
【請求項６】
前記熱線遮蔽手段は、前記熱線反射フィルムを細帯状に裁断した細帯状テープを経糸および／または緯糸として編織成したものであり、該経糸間および／または緯糸間に貫通孔が形成されている請求項１〜４のいずれかに記載の農業ハウス。
【請求項７】
前記熱線反射フィルムの波長３５０ｎｍの光線透過率が１０％以下であることを特徴とする請求項１〜６のいずれかに記載の農業ハウス。
【請求項８】
前記熱線反射フィルムの最外層の外側に、紫外線吸収剤を含有するバインダー樹脂からなる樹脂層が形成されていることを特徴とする請求項１〜７のいずれかに記載の農業ハウス。
【請求項９】
前記バインダー樹脂がフッ素樹脂であることを特徴とする請求項８に記載の農業ハウス。
【請求項１０】
前記農業ハウスが、太陽光により光合成を行う果菜類の栽培に用いられるものである請求項１〜９のいずれかに記載の農業ハウス。
【請求項１１】
請求項１〜１０のいずれかに記載の農業ハウスを用いた植物の栽培方法であって、
日中は天井部に設けた天窓を閉鎖して二酸化炭素濃度を調整し、夜間は天井部に設けた天窓を開放して温度調整を行うと共に、
少なくとも日中は、農業ハウス内部の温度を３５℃以下、二酸化炭素濃度を５００〜１５００ｐｐｍおよび湿度飽差を４ｇ／ｍ３以下に制御して植物を栽培することを特徴とする植物の栽培方法。
【発明の詳細な説明】
【技術分野】
【０００１】
本発明は、日中は天窓を閉鎖し夜間は天窓を開放する、太陽光を利用する農業ハウスおよびこの農業ハウスを用いた植物の栽培方法に関する。
【背景技術】
【０００２】
農業ハウスを利用して植物を栽培することは、囲われた空間を制御して植物の育成に最適な環境を作り出し、植物の収穫量増および高品質化を図れることから広く行われている。特に、近年は、人口増に伴う食料危機の問題から、農業ハウスを用いた植物の効率的な栽培方法についてさまざまな研究が進められている。
【０００３】
植物の光合成は、下記式（１）に示されるように、光エネルギーを駆動源として、空気中から吸収した炭酸ガスと、地中等からを吸収した水から、酸素ガスと炭水化物とを生成する反応であり、植物を大量かつ経済的に栽培するためには、人工光よりも太陽光を利用することが好ましい。
６ＣＯ２＋ ６Ｈ２Ｏ → ６Ｏ２ ＋ Ｃ６Ｈ１２Ｏ６              （１）
【０００４】
太陽光を利用する農業ハウスにおいては、太陽光には、植物の光合成に利用される波長４００〜７００ｎｍの光（以下、「可視光」という場合がある。）と共に、農業ハウス内の温度を上昇させる波長８００〜１２００ｎｍの光（以下、「熱線」という場合がある。）が含まれており、農業ハウス内の温度上昇を防ぐためには、熱線を遮断することが必要となる。これは、農業ハウス内の温度が熱線により上昇すると、植物の生育に適した温度（以下、「適温」という。）に保つために、換気、除湿冷却等に手間、コストを要するためである。
【０００５】
また、上記式（１）からもわかるように、炭酸ガス濃度を高く維持することにより、光合成を活発に行わせて植物の生育を促進させることができる。太陽光を利用した農業ハウスでの植物の栽培において、農業ハウス内の二酸化炭素濃度を高く維持することにより植物の生育を促進させることは、特許文献１〜３で提案されている。
【０００６】
一方、光合成が活発に行われる日中は太陽光により農業ハウス内の温度が上昇するため、農業ハウス内を適温に保つための経済的な手段として、一般的には換気が採用されている。例えば、昼間日射量が十分な場合には、農業ハウス内の温度が４０℃を超えることも多くなるため、自然換気または強制通気により、農業ハウス内の温度は２０〜２５℃程度の適温に維持される。
【０００７】
しかしながら、換気に伴い、農業ハウス内に供給した二酸化炭素が外部に放出されるため、特に日中において農業ハウス内の温度を適温に保ちつつ二酸化炭素濃度を高く維持することは難しい。
【０００８】
特許文献３では、日中、植物栽培施設を事実上密閉状態として、施設内の炭酸ガス濃度を高く保つと共に、冷房設備を用いて施設内の温度を２０℃前後に保つことが提案されているが、日中に冷房設備を稼働させて、広い施設内の温度を２０℃前後に維持することは、多大なエネルギーが必要となり経済的とはいえない。
【先行技術文献】
【特許文献】
【０００９】
【特許文献１】特許第２９６３４２７号公報
【特許文献２】特許第３９１７３１１号公報
【特許文献３】特開昭５３−０９８２４６号公報
【発明の概要】
【発明が解決しようとする課題】
【００１０】
本発明の課題は、植物の収穫量当たりに投入するエネルギーが少なく植物を経済的かつ効率良く栽培でき、植物への供給水量を少なくでき乾燥地域等においても植物を栽培することができる農業ハウスおよびこの農業ハウスを用いた植物の栽培方法を提供することにある。
【課題を解決するための手段】
【００１１】
本発明の上記課題は、日中は天井部に設けた天窓を閉鎖し、夜間は天井部に設けた天窓を開放する、太陽光を利用する農業ハウスであって、農業ハウス内部に二酸化炭素を供給するＣＯ２供給手段と、熱線遮蔽手段と、農業ハウス内部を冷却する除湿冷却手段などを備え、該熱線遮蔽手段は、波長４００〜７００ｎｍの光の平均透過率が８０％以上で、波長８００〜１２００ｎｍの光の平均反射率が７０％以上である熱線反射フィルムを用いて形成されており、該熱線遮蔽手段には、所定の間隔で複数の貫通孔が形成されている農業ハウスおよびこの農業ハウスを用いた植物の栽培方法により解決される。
【００１２】
本発明者等は、農業ハウス内の二酸化炭素濃度を高く維持できると共に、農業ハウス内を経済的に適温に保つことのできる農業ハウスとして、図３に示すような農業ハウス（以下、「先の農業ハウス」という。）を提案し、２０１１年３月に、農業情報学会より、「農業・食料産業イノベーション大賞」を受賞したところである。
【００１３】
先の農業ハウスは、図３に示すように、次のような特徴を有するものである。
ａ）農業ハウスの天井部１０１と栽培部１０２とを透明な樹脂板である「サニーコート１０３」で断熱・区画したこと
ｂ）「サニーコート１０３」の上部に、「近赤外線吸収フィルム１０４」を張り渡し、温度を上昇させる波長８００ｎｍ以上の光を吸収して遮断すると共に、植物の生育に必要な可視光を透過するようにしたこと
ｃ）天井部１０１に設けた天窓１０５を介して空気を換気し、「近赤外線吸収フィルム１０４」の発熱による温度上昇を防ぐようにしたこと
ｄ）該栽培部１０２に、「ＣＯ２発生装置１０６」を設けて二酸化炭素濃度を高く維持すると共に、「ヒートポンプ１０７」を設けて温度を適温に保つようにしたこと
【００１４】
このように、本発明者等が先に提案した農業ハウスは、農業ハウスの天井部と栽培部とを透明な樹脂板である「サニーコート」で断熱・区画することにより、二酸化炭素が栽培部から漏れ出ないので、栽培部の二酸化炭素濃度を経済的に高濃度に保つことができ、また、「近赤外線吸収フィルム」の発熱を栽培部と断熱・区画された天井部から、天井部に設けた天窓を介して外部に放出するので、栽培部の温度上昇を防止できるものである。
【００１５】
本発明者等は、日中は天窓を閉鎖して農業ハウス内の二酸化炭素濃度を経済的に高濃度に維持し、夜間は天窓を開放して農業ハウス内の温度を低下させる、太陽光を利用する農業ハウスにおいて、先の農業ハウスの「サニーコート」および「近赤外線吸収フィルム」に代えて、特定の構造・物性を備えた熱線遮蔽手段を用いることにより、先の農業ハウスに比べ、植物の栽培を一層経済的かつ効率的に行えることを見出し、本発明を成したものである。
【００１６】
本発明の要旨を以下に示す。
（１）日中は天井部に設けた天窓を閉鎖し、夜間は天井部に設けた天窓を開放する、太陽光を利用する農業ハウスであって、
農業ハウス内部に二酸化炭素を供給するＣＯ２供給手段と、熱線遮蔽手段と、農業ハウス内部を冷却する除湿冷却手段などを備え、
該熱線遮蔽手段は、波長４００〜７００ｎｍの光の平均透過率が８０％以上で、波長８００〜１２００ｎｍの光の平均反射率が７０％以上である熱線反射フィルムを用いて形成されており、
該熱線遮蔽手段には、所定の間隔で複数の貫通孔が形成されていることを特徴とする農業ハウス。
（２）前記熱線反射フィルムが、屈折率が異なる少なくとも２種類の樹脂層が交互に積層された多層積層フィルムである（１）に記載の農業ハウス。
（３）前記多層積層フィルムの前記２種類の樹脂層の少なくとも一つが、縮合型芳香環を有する樹脂からなる樹脂層である（２）に記載の農業ハウス。
（４）前記熱線遮蔽手段に設けられる前記複数の貫通孔の開孔率が０．５〜１０％の範囲であることを特徴とする（１）〜（３）のいずれかに記載の農業ハウス。
（５）前記熱線遮蔽手段は、前記熱線反射フィルムに貫通孔が穿設されている（１）〜（４）のいずれかに記載の農業ハウス。
（６）前記熱線遮蔽手段は、前記熱線反射フィルムを細帯状に裁断した細帯状テープを経糸および／または緯糸として編織成したものであり、該経糸間および／または緯糸間に貫通孔が形成されている（１）〜（４）のいずれかに記載の農業ハウス。
（７）前記熱線反射フィルムの波長３５０ｎｍの光線透過率が１０％以下であることを特徴とする（１）〜（６）のいずれかに記載の農業ハウス。
（８）前記熱線反射フィルムの最外層の外側に、紫外線吸収剤を含有するバインダー樹脂からなる樹脂層が形成されていることを特徴とする（１）〜（７）のいずれかに記載の農業ハウス。
（９）前記バインダー樹脂がフッ素樹脂であることを特徴とする（８）に記載の農業ハウス。
（１０）前記農業ハウスが、太陽光により光合成を行う果菜類の栽培に用いられるものである（１）〜（９）のいずれかに記載の農業ハウス。
（１１）（１）〜（１０）のいずれかに記載の農業ハウスを用いた植物の栽培方法であって、日中は天井部に設けた天窓を閉鎖して二酸化炭素濃度を調整し、夜間は天井部に設けた天窓を開放して温度調整を行うと共に、少なくとも日中は、農業ハウス内部の温度を３５℃以下、二酸化炭素濃度を５００〜１５００ｐｐｍおよび湿度飽差を４ｇ／ｍ３以下に制御して植物を栽培することを特徴とする植物の栽培方法。
【発明の効果】
【００１７】
本発明の農業ハウスおよびこの農業ハウスを用いた植物の栽培方法では、光合成が活発に行われる日中は、天井部に設けた天窓を閉鎖して農業ハウスを密閉状態とし、農業ハウス内の温度、二酸化炭素濃度および湿度を、光合成が活発に行われる範囲に維持・制御することができ、しかも、可視光の透過率が高く、熱線の反射率が高い熱線反射フィルムを用いて形成された熱線遮蔽手段を用いることにより、植物の生育を妨げることなくエネルギーコストを低減できる。
【００１８】
また、光合成が活発に行われない夜間は、天井部に設けた天窓を開放して、農業ハウス内の温度を翌日の日中の温度上昇に備えて低下させることができ、しかも、熱線反射フィルムに所定の間隔で複数の貫通孔を形成した熱線反射体を熱線遮蔽手段として用いることにより、農業ハウス下部の日中に加熱された空気を熱線遮蔽手段を通して外部に逃がすことができ、さらに、夜間、特に朝方に、屋根に近接する上部の空気が冷やされた場合でも、熱線遮蔽手段下面に生じた結露が水滴となって植物に当たり、植物の果実、葉、花等が変色、劣化する等の品質低下を生じたり、フィルム自体に劣化が生じるのを防止することができる。
【００１９】
また、本発明では、日中は天井部に設けた天窓を閉鎖して、農業ハウス内の水分が外部に逃げにくくなるため、植物への供給水量を少なくでき、乾燥地域等においても植物を栽培することができる。
【００２０】
また、本発明では、所定の間隔で複数の貫通孔を形成した熱線遮蔽手段を用いることにより、紫外線透過率を、熱線反射フィルムの紫外線劣化を防止しつつ、果実の着色、ハチによる受粉活動を阻害しない範囲に調整することができる。
【図面の簡単な説明】
【００２１】
【図１】本発明の農業ハウスの実施形態を示す模式図である。
【図２】本発明の農業ハウスにおいて好適に用いることのできる熱線遮断手段の例であって、フィルムを細帯状に裁断した細帯状テープを編織成したものの一部正面図である。
【図３】先の農業ハウス（本願発明者等が提案し、農業・食料産業イノベーション大賞を受賞した農業ハウス）を示す模式図である。
【発明を実施するための形態】
【００２２】
以下に、本発明の実施の形態について、図面も用いて具体的に説明するが、本発明はこれらに制限されるものではない。
【００２３】
図３は先の農業ハウスを示す模式図であって、先に説明したように、農業ハウスの天井部１０１と栽培部１０２とを透明な樹脂板である「サニーコート１０３」で断熱・区画して、栽培部１０２の二酸化炭素濃度を経済的に高濃度に保つと共に、「近赤外線吸収フィルム１０４」の発熱を栽培部１０２と断熱・区画された天井部１０１から、天窓１０５を通して外部に放出し、栽培部１０２の温度上昇を防止するものである。
【００２４】
図１は本発明の熱線反射フィルムを設けた農業ハウスの一例を示す模式図である。この太陽光を利用する農業ハウス１には、上部に本発明の熱線遮蔽手段３が張り渡され、下部には、農業ハウス１の内部に二酸化炭素を供給するＣＯ２供給手段２及び農業ハウス１の内部を冷却する除湿冷却手段４が備えられている。この農業ハウス１では、日中は天窓５を閉鎖して農業ハウス内の二酸化炭素濃度を経済的に高濃度に維持し、夜間は天窓５を開放して農業ハウス内の温度を低下させる。
【００２５】
この熱線遮蔽手段３は、波長４００〜７００ｎｍの光の平均透過率が８０％以上、波長８００〜１２００ｎｍの光の平均反射率が７０％以上である熱線反射フィルムを用いて形成され、所定の間隔で複数の貫通孔を形成したものである。
【００２６】
本発明の農業ハウスは、「サニーコート」のような樹脂板を設けないため、先の農業ハウスに比べて、次のような優れた点を有している。
１）植物の生育に必要な可視光の透過率を高めることができる。（「サニーコート」を設けた場合には、図３にも示されているように、可視光の透過率は高々７０％程度と低い。）
２）農業ハウスの設備費を軽減できる。
３）夜間、特に朝方に、栽培部と天井部との間の温度差が大きくなるため、「サニーコート」の下面に結露が生じて水滴となって植物に当たり、植物の果実、葉、花等が変色・劣化するという問題が生じない。
【００２７】
また、先の農業ハウスでは、太陽光に含まれる熱線を遮断するために「近赤外線吸収フィルム」を用いているが、このような熱線吸収タイプのフィルムでは熱線を吸収してフィルム自体が発熱し、農業ハウス内の温度を上昇させる。一方、本発明の農業ハウスでは「波長８００〜１２００ｎｍの光の平均反射率が７０％以上である熱線反射フィルム」という熱線反射タイプのフィルムを用いるため、農業ハウス内の温度を上昇させにくいものである。
【００２８】
次に、本発明の農業ハウスについて、順次説明する。本発明の農業ハウスは、太陽光を利用するものである。ＬＥＤ等の人工光を用いると、光合成の駆動源である光エネルギーの量を調整・制御できるものの、照射エネルギーが必要となるため、植物の大量生産には適さない。
【００２９】
そして、太陽光を利用する農業ハウスでは、太陽光には、植物の生育に必要な可視光と共に、農業ハウス内の温度を上昇させる熱線が含まれているため、農業ハウス内を適温に保つために、自然換気、強制通気等の換気が経済的な冷却手段として一般に採用されるが、換気に手間・コストを要し、また、換気により病害虫が農業ハウス内に侵入しやすくなる。
【００３０】
また、二酸化炭素濃度を高く維持する農業ハウスでは、できるだけ二酸化炭素を外部に逃がさないために換気率を低く保つ必要があるが、そのためには、日中に冷房設備を稼働させ広い農業ハウス内の温度を適温に維持しなければならず、冷房に多量のエネルギーを要する。
【００３１】
本発明の農業ハウスは、光合成が活発に行われる日中は、天井部に設けた天窓を閉鎖し農業ハウスを密閉状態として、二酸化炭素を供給するＣＯ２供給手段により、農業ハウス内の二酸化炭素濃度を光合成が活発に行われる範囲に維持・制御すると共に、除湿冷却手段により、農業ハウス内の温度および湿度を光合成が活発に行われる範囲に維持・制御することにより、植物を効率良く栽培することができる。
【００３２】
さらに、該熱線遮蔽手段として、可視光の平均透過率が８０％以上と高く、熱線の平均反射率が７０％以上と高い熱線反射フィルムを用いることにより、植物の育成を妨げずに、農業ハウス内の温度上昇を防ぎ、適温の維持に要するエネルギーコストを低減することができる。
【００３３】
また、本発明の農業ハウスは、光合成が行われない夜間は、天井部に設けた天窓を開放して、農業ハウス内の温度を翌日の日中の温度上昇に備えて低下させるが、熱線反射フィルムに所定の間隔で複数の貫通孔を形成することにより、農業ハウス下部の日中に加熱された空気を熱線反射フィルムを通して外部に逃がすことができ、また、夜間、特に朝方に、屋根に近接する上部の空気が冷やされた場合でも、熱線反射フィルム下面に生じた結露が水滴となって植物に当たり、植物の果実、葉、花等が変色、劣化する等の品質低下を生じたり、フィルム自体に劣化が生じるのを防止することができる。
【００３４】
本発明の農業ハウス内部に備えられる、農業ハウス内部に二酸化炭素を供給するＣＯ２供給手段としては、公知の各種手段を用いることができる。例えば、炭酸塩または重炭酸塩を酸で中和させる手段、炭化水素類を燃焼させる手段、液化炭酸ガスを用いる手段等が挙げられるが、経済的であり、不純物が少ないことから、ＬＰガス、液化天然ガスを燃焼させる手段を好適に用いることができる。
【００３５】
本発明の農業ハウス内部に備えられる、農業ハウス内部を冷却する手段としては、ヒートポンプによる熱交換のような除湿冷却手段を用いる。
【００３６】
農業ハウス内の冷却には、微細な霧を噴霧して蒸発時の気化冷却を利用して冷却する細霧冷却手段が一般的に用いられるが、本発明のような日中密閉される農業ハウスでは、換気を行わないため水蒸気が飽和状態となり、細霧がそもそも気化しないので、細霧冷却手段を用いて冷却することはできない。
【００３７】
本発明の農業ハウスに用いられる熱線遮蔽手段の第１の特徴は、熱線遮蔽手段が、一般の農業ハウスで用いられているような、金属蒸着層、金属箔、金属含有層の金属により熱線のみならず可視光をも反射するフィルムではなく、光学干渉フィルター、合わせガラスの分野で使用される熱線反射フィルムを用いて形成されていることにある。
【００３８】
具体的には、この熱線反射フィルムは、太陽光に含まれる可視光の平均透過率が８０％以上と高く、また、太陽光に含まれる熱線の平均反射率が７０％以上と高いものである。
【００３９】
可視光の平均透過率が８０％以上という高い熱線反射フィルムを用いることにより、光合成の駆動源となる可視光を植物に十分に供給できるので、植物の生育を十分に促進することができる。
【００４０】
また、熱線の平均反射率が７０％以上という高い熱線反射フィルムを用いることにより、農業ハウス内の温度を上昇させる熱線を十分に遮断でき、さらに、熱線吸収フィルムのようにフィルム自体の発熱も少ないため、農業ハウス内の温度の上昇を抑えることができ、除湿冷房に要するコストを低減することができる。
【００４１】
このような可視光の高い平均透過率および熱線の高い平均反射率を有する熱線反射フィルムとしては、
〇特表平９−５０６８３７号公報に記載されているような、光学干渉フィルターに用いられる、ポリエステル系多層光学フィルム、
〇特表平１１−５０８３８０号公報に記載されているような、窓ガラスの表面に貼着される、多層ポリマフィルムと透明導電体とを含むフィルム、
〇国際公開第２００５／０４０８６８号に記載されているような、合わせガラスでガラスに積層して用いられる、積層ポリエステルフィルム、
〇国際公開第２０１３／０８０９８７号に記載されているような、合わせガラスでガラスに積層して用いられる、二軸延伸積層ポリエステルフィルム、
〇特開２０１４−２２８８３７号公報に記載されているような、合わせガラスでガラスに積層して用いられる、二軸延伸積層ポリエステルフィルム、
等の多層積層フィルムを好適に用いることができる。
【００４２】
これらの多層積層フィルムは、農業ハウスにおいて一般に用いられているような、熱線等を金属蒸着層、金属箔、金属含有層等で反射するものではなく、屈折率が異なる少なくとも２種類の樹脂層が交互に積層された多層積層フィルムであって、太陽光のうち可視光は透過させ、熱線を選択的に反射することができる。
【００４３】
本発明における多層積層フィルムは、上記特性を有するものであれば特に制限されないが、屈折率の異なる少なくとも２種類の樹脂層が交互に積層されていることが好ましい。屈折率の異なる樹脂層の交互積層による反射は、反射波長は樹脂層の光学厚さ（屈折率×厚み）によって、反射率は樹脂層の総数と樹脂層間の屈折率差によって設計することができ、所望の反射特性となるように、樹脂の選択および樹脂層の厚さや積層数を調整することができる。
【００４４】
多層積層フィルムの樹脂層を形成する樹脂としては、それ自体公知のものを採用でき、ポリエステル、ポリスルホン、ポリアミド、ポリエーテル、ポリケトン、ポリアクリル、ポリカーボネート、ポリアセタール、ポリスチレン、ポリアミドイミド、ポリアリレート、ポリオレフィン、ポリフルオロポリマー、ポリウレタン、ポリアリールスルホン、ポリエーテルスルホン、ポリアリレン硫黄、ポリ塩化ビニール、ポリエーテルイミド、テトラフルオロエチレン、ポリエーテルケトンが挙げられ、これらはホモポリマーに限られず、共重合であってもよい。また、樹脂間の屈折率差を高めやすいことから、少なくとも樹脂層の一つが、屈折率を高くしやすいナフタレン環などの縮合型芳香環を樹脂の繰り返し単位を有する樹脂が好ましく、共重合成分として存在させても良い。
【００４５】
これらの中でも、屈折率の高い樹脂層に用いる樹脂としては、延伸によって高度の分子配向を発現しやすいことから結晶性を有する熱可塑性樹脂が好ましく、特に融点が２００℃以上の熱可塑性樹脂が好ましい。そのような観点から、具体的な熱可塑性樹脂としては、ポリエステルが好ましく、さらにポリエチレンテレフタレートやポリエチレン−２，６−ナフタレンジカルボキシレートが好ましく、特に屈折率が高く、高度の延伸倍率で延伸できることから、縮合型芳香環を有するポリエチレン−２，６−ナフタレンジカルボキシレートが好ましい。
【００４６】
一方、屈折率の低い樹脂層に用いる樹脂としては、屈折率の高い樹脂層と十分な屈折率差が発現でき、かつ必要な密着性を維持できるものであれば、特に制限されない。例えば屈折率の高い樹脂層に用いた樹脂に屈折率を低くできる共重合成分を共重合した樹脂なども用いることができる。また、延伸などによって屈折率を高める必要がないことから非晶性樹脂や屈折率の高い樹脂層の樹脂よりも十分に低い融点を有する樹脂を用いることもできる。例えば、エチレンテレフタレート成分を含む非晶性ポリエステル等を好適に用いることができる。
【００４７】
本発明の農業ハウスに用いられる熱線遮蔽手段の第２の特徴は、熱線遮蔽手段に所定の間隔で複数の貫通孔が形成されていることにある。
【００４８】
本発明の農業ハウスに用いられる熱線遮蔽手段は、熱線を十分に遮断する必要があることから、図１に示すように、農業ハウスの上部全面に亘って張られ、農業ハウスを上部と下部に区画するものであるが、農業ハウスの上部と下部との通気性を良好にするため、所定の間隔で複数の貫通孔が形成される。
【００４９】
本発明の農業ハウスは、光合成が行われない夜間は、天井部に設けた天窓を開放して、農業ハウス内の温度を翌日の日中の温度上昇に備えて低下させるが、熱線遮蔽手段に所定の間隔で複数の貫通孔を形成することにより、農業ハウス下部の日中に加熱された空気を熱線遮蔽手段を通して外部に逃がすことができ、また、夜間、特に朝方に、屋根に近接する上部の空気が冷やされた場合でも、熱線遮蔽手段下面に結露が生じ、水滴となって植物に当たり、植物の果実、葉、花等が変色、劣化する等の品質低下を生じたり、熱線遮蔽手段自体に劣化が生じるのを防止することができる。
【００５０】
熱線遮蔽手段に形成される複数の貫通孔の開孔率は、０．５〜１０％、好ましくは１〜５％の範囲とするのが好ましい。
【００５１】
なお、本発明における「開孔率」は、熱線遮蔽手段の一方の表面における縦横それぞれ１０ｃｍの正方形の部分を、表面垂直方向から表面観察を行った場合に、裏面側が遮る物なく見える部分を開孔とし、その面積を開孔面積の総和（Ｓｃｍ２）を求めて、式：［Ｓ（ｃｍ２）／１００（ｃｍ２）］×１００により求めたものである。
【００５２】
開孔率が０．５％以上であると熱線遮蔽手段の通気性を良好なものとすることができ、光合成が行われない夜間に天井部に設けた天窓を開放して、農業ハウス内の温度を翌日の日中の温度上昇に備えて低下させる場合に、農業ハウス下部の日中に加熱された空気を熱線反射フィルムを通して外部に逃がすことができ、また、夜間、特に朝方に、屋根に近接する上部の空気が冷やされた場合でも、フィルム下面に生じた結露が水滴となって植物に当たり、植物の果実、葉、花等が変色、劣化する等の品質低下を生じたり、フィルム自体に劣化が生じるのを防止できるため好ましい。さらに、開孔率が１％以上であると熱線反射フィルムの通気性がさらに良好となるためより好ましい。
【００５３】
また、開孔率が１０％以下であると、熱線反射フィルムによってもたらされる熱線反射機能が大きく低下することがないため好ましい。さらに、開孔率が５％以下であると熱線反射能力の低下をより小さくできるためより好ましい。
【００５４】
熱線遮蔽手段としては、熱線反射フィルムに貫通孔を穿設した構造のものを用いることができる。
【００５５】
貫通孔の配置は、熱線遮蔽手段の強度、剛性等の物性ができるだけ均一となるように、所定の間隔で穿設されるのが好ましい。貫通孔の間隔は、熱線遮蔽手段の通気性をできるだけ均一なものとするため、３０ｃｍ以下、好ましくは２０ｃｍ以下、さらに好ましくは１０ｃｍ以下とする。
【００５６】
熱線遮蔽手段の具体的な構造としては、単に熱線反射フィルムに所定間隔で円形、三角形、四角形等の所定形状の穴を穿設したものでも良いが、熱線反射体は夜間、冬期等には巻取られることがあるので、熱線反射体の巻取り性を良好にするために、穴の形状は、熱線反射体の長手方向の長さよりも幅方向（すなわち、長手方向と直交する方向）の長さが長いものとすることが好ましい。
【００５７】
熱線遮蔽手段の巻取り性、耐ブロッキング性、耐引裂性、耐久性等を良好にするためには、熱線遮蔽手段を１枚の熱線反射フィルムで形成するよりも、熱線反射フィルムを細帯状に裁断した細帯状テープを経糸および／または緯糸として編織成した織編物とするのが好ましい。さらに、熱線反射フィルムの細帯状テープを経糸または緯糸とし、透明な糸を緯糸または経糸として織成した織物とするのがより好ましい。細帯状テープとしては、熱線反射フィルムを幅１〜５０ｍｍ、好ましくは幅２〜２０ｍｍ、より好ましくは幅４〜８ｍｍ程度の細帯状に裁断（スリット加工）したものを用いる。
【００５８】
織編物の好適な構造としては、図２（ａ）、（ｂ）、（ｃ）に示すような、細帯状テープ７を透明な糸８で織編成したものが挙げられる。図２（ａ）の編織成物は、細帯状テープ７を経糸にして織機に掛けて透明な糸８を横入れして織られたものであり、図２（ｂ）の編織成物は、細帯状テープ７を緯糸、透明な糸８を経糸として織られたものであり、また、図２（ｃ）の編織成物は、細帯状テープ７を経糸、透明な糸８を緯糸として編まれたものである。
【００５９】
織編物における貫通孔は、経糸間および／または緯糸間に形成され、貫通孔の開孔率は、経糸、緯糸の密度などにより調整することができる。
【００６０】
本発明の熱線遮蔽手段は、日中は太陽光に曝されることから、紫外線による劣化を防止するために、熱線遮蔽手段を形成する熱線反射フィルムの波長３５０ｎｍの光線透過率（以下、「紫外線透過率」という。）を１０％以下とすることが好ましい。
【００６１】
熱線反射フィルムが、ナフタレンジ環等の縮合型芳香環を有する樹脂を含有している場合には、熱線反射フィルムの紫外線透過率は自ずと低くなるので、必ずしも紫外線吸収層を設ける必要はないが、熱線反射フィルムの紫外線透過率が高い場合には、熱線反射フィルムの最外層の少なくとも片側に紫外線吸収層を設けて、紫外線透過率を低下させることが好ましい。
【００６２】
紫外線吸収層に含有させる紫外線吸収剤として、例えばトリアジン系紫外線吸収剤、ベンゾトリアゾール系紫外線吸収剤、ベンゾフェノン系紫外線吸収剤、ベンゾオキサジノン系紫外線吸収剤、サリシレート系紫外線吸収剤、シアノアクリレート系紫外線吸収剤、サルチレート系紫外線吸収剤を挙げることができ、好ましくはトリアジン系紫外線吸収剤、ベンゾトリアゾール系紫外線吸収剤を用いることができる。具体的には、２−（２−ヒドロキシ−４−［１−オクチロキシカルボニルエトキシ］フェニル）−４，６−ビス（４−フェニルフェニル）−１，３，５−トリアジン、２−（２Ｈ−ベンゾトリアゾール−２−イル）−４，６−ビス（１−メチル−１−フェニルエチル）フェノール、２−（２Ｈ−ベンゾトリアゾール−２−イル）−６−（１−メチル−１−フェニルエチル）−４−（１，１，３，３−テトラメチルブチル）フェノール、オクチル−３−［３−ｔｅｒｔ−ブチル−４−ヒドロキシ−５−（５−クロロ−２Ｈ−ベンゾトリアゾール−２−イル）フェニル］プロピオネート、２−エチルヘキシル−３−［３−ｔｅｒｔ−ブチル−４−ヒドロキシ−５−（５−クロロ−２Ｈ−ベンゾトリアゾール−２−イル）フェニル］プロピオネート、２−（２Ｈ−ベンゾトリアゾール−２−イル）４，６−ビス（１−エチル−１−フェニルエチル）フェノール、フェノール、２−（５−クロロ−２Ｈ−ベンゾトリアゾール−２−イル）−６−（１，１−ジメチルエチル）４−メチル、２，２’−メチレンビス［６−（２Ｈ−ベンゾトリアゾール−２−イル）−４−１，１，３，３−テトラメチルブチル］フェノール、２−（４，６−ジフェニル−１，３，５−トリアジン−２−イル）−５−［（ヘキシル）ロキシ］フェノール、２，４−ビス（２−ヒドロキシ−４−ブチロキシフェニル）−６−（２，４−ビス−ブチロキシフェニシル）−１，３，５−トリアジン、ベンゼンプロパン酸、３−（２Ｈ−ベンゾトリアゾール−２−イル）−５−（１，１−ジメチルエチル）−４−ヒドロキシ−Ｃ７−９分岐および鎖状アルキルエステル、２−（２−ヒドロキシ−５−ｔｅｒｔ−メチルフェニル）−２Ｈ−ベンゾトリアゾール、２−（２Ｈ−ベンゾトリアゾール−２−イル）−４，６−ジ−ｔｅｒｔ−ペンチルフェノール、２，２’−ジヒドロキシ−４−メトキシベンゾフェノン、２−［４，６−ビス（２，４−ジメチルフェニル）−１，３，５−トリアジン−２−イル］−５−（オクチロキシ）フェノール、２−（２’−ヒドロキシ−５’−オクチルフェニル）ベンゾトリアゾールが例示される。
【００６３】
また、紫外線吸収層のバインダー樹脂としては、例えばポリエステル樹脂、アクリル樹脂、アクリルシリコン樹脂、ウレタン樹脂、フッ素樹脂、シリコン樹脂、メラミン系樹脂、セルロース樹脂、およびポリアミド樹脂を例示することができる。これらのバインダー樹脂の中で、アクリル樹脂、アクリルシリコン樹脂、ウレタン樹脂、シリコン樹脂、フッ素樹脂が光安定性に優れるため好ましい。
【００６４】
紫外線吸収層を設ける手法としては、例えば、多層積層フィルムの表面に共押出法により紫外線吸収剤層を設ける手法、コーティングなどの方法で紫外線吸収剤層を設ける手法が挙げられる。
【００６５】
上記のように、熱線遮蔽手段の紫外線劣化防止の観点からは、紫外線透過率を１０％以下と低くすることが好ましいが、紫外線を過度に遮蔽しすぎると、ナスなどの果実が生育した際の色づきが悪い、農業ハウス内で蜂が花に十分に寄りつかず受粉活動が正常に行われない等の問題が生じる。
【００６６】
熱線遮蔽手段の紫外線透過率が低すぎる場合には、次のようにして、紫外線透過率が高くなうように調整できる。
【００６７】
熱線遮蔽手段が、熱線反射フィルムに貫通孔を穿設したものである場合には、穿設する貫通孔の大きさ、密度を調整して開孔率を調整することにより、熱線遮蔽手段が紫外線を過度に遮蔽しすぎないように調整することができる。
【００６８】
また、熱線遮蔽手段が熱線反射フィルムの細帯状テープと透明な糸との編織物である場合には、編織物を構成する細帯状テープおよび／または透明な糸の密度を調整し、細帯状テープ間および／または透明な糸間に形成される貫通孔の開孔率を調整すること、細帯状テープとして、熱線反射フィルムと共にポリエチレンフィルムのような紫外線透過率の高い透明フィルムを用いること等により、熱線遮蔽手段が紫外線を過度に遮蔽しすぎないように調整できる。
【００６９】
一般的には、熱線反射フィルムが、ナフタレン環等の縮合型芳香環を有する樹脂を含有している場合には、熱線反射フィルムの紫外線透過率が低くなりすぎる傾向があるため、この場合には、熱線遮蔽手段を表面垂直方向から表面観察を行った場合に、熱線遮蔽手段に占める熱線反射フィルムの面積比率（以下、「カバー率」という。）を、９５％以下とするのが好ましい。
【００７０】
本発明の農業ハウスは、太陽光により光合成を行う果菜類、例えば、トマト、ナス、ピーマン、パプリカ、キュウリ、スイカ、カボチャ、トウガラシ、えんどう、ソラマメ、イチゴ、ブロッコリー、カリフラワー等の栽培に好適に用いることができる。
【００７１】
本発明の農業ハウスを用いた植物の栽培方法では、光合成が活発に行われる日中は、天井部に設けた天窓を閉鎖して農業ハウスを密閉状態とし、農業ハウス内の温度、二酸化炭素濃度および湿度を、光合成が活発に行われる範囲に維持・制御するものであるが、一時的に日中天窓を開放することまで妨げるものではない。具体的には、農業ハウス内部の温度を３５℃以下、二酸化炭素濃度を５００〜１５００ｐｐｍおよび湿度飽差を４ｇ／ｍ３以下に維持・制御して植物の栽培を行うのが好ましい。
【００７２】
農業ハウス内部の温度は、栽培する植物の適温、最高限界温度に応じて設定することができる。例えば、日中における果菜類の適温および最高限界温度は、トマト［２０〜２５℃、３５℃］、ナス［２３〜２８℃、３５℃］、ピーマン［２５〜３０℃、３５℃］、キュウリ［２３〜２８℃、３５℃］、スイカ［２３〜２８℃、３５℃］、カボチャ［２０〜２５℃、３５℃］とされている。このことから、農業ハウス内部の温度は、３５℃以下、好ましくは３０℃以下、より好ましくは２０〜３０℃とするのが望ましい。
【００７３】
通常の空気の二酸化炭素濃度は３００ｐｐｍ程度であるが、農業ハウス内部の二酸化炭素濃度を５００〜１５００ｐｐｍに設定することにより植物の光合成を大幅に促進することができる。二酸化炭素濃度が５００ｐｐｍ未満では光合成の促進効果が十分ではなく、また、１５００ｐｐｍを超えても光合成はさほど促進されないので経済的メリットが小さい。植物の水分状態は、相対湿度よりも湿度飽差（ある温度と湿度の空気に、あとどれだけ水蒸気の入る余地があるかを示す指標で、空気１ｍ３当たりの水蒸気の空き容量をｇ数で表される）に強く影響を受けるが、本発明では、除湿冷却手段により、農業ハウス内部の湿度飽差を４ｇ／ｍ３以下に維持・制御して植物の栽培を行う。
【００７４】
農業ハウス内部の湿度飽差は栽培する植物に適する範囲に設定することができるが、一般的には、湿度飽差が大きくなりすぎると、植物は気孔を閉じ蒸散を行われなくなり、光合成が活発に行われなくなるので、農業ハウス内部の湿度飽差はこのましくは４ｇ／ｍ３以下、より好ましくは３．５ｇ／ｍ３以下とするのが望ましい。
【００７５】
また、湿度飽差が小さくなりすぎると、植物と空気に水蒸気圧差がなくなり、気孔が開いていても蒸散は起こらず、炭酸ガスも吸収されなくなり、光合成が活発に行われなくなるので、農業ハウス内部の湿度飽差は好ましくは２ｇ／ｍ３以上、より好ましくは２．５ｇ／ｍ３以上とするのが望ましい。
【００７６】
農業ハウス内の温度、二酸化炭素濃度および湿度を上記の範囲に維持・制御するためには、例えば、農業ハウス内に気温センサー、ＣＯ２センサーおよび湿度センサーを設置し、これらの測定値に応じて、ＣＯ２供給手段および除湿冷却手段の運転状態を調整すれば良い。
【００７７】
また、光合成が活発に行われる温度、二酸化炭素濃度および湿度は、植物の種類、生育段階等により異なるので、農業ハウス内の温度、二酸化炭素濃度および湿度の目標値は、きめ細かく設定・調整することが望ましい。
【００７８】
このように、本発明の農業ハウスおよびこの農業ハウスを用いた植物の栽培方法では、光合成が活発に行われる日中は、天井部に設けた天窓を閉鎖して農業ハウスを密閉状態とし、農業ハウス内の温度、二酸化炭素濃度および湿度を、光合成が活発に行われる範囲に維持・制御することができ、しかも、可視光の透過率が高く、熱線の反射率が高い熱線反射フィルムを用いて形成した熱線遮蔽手段を用いることにより、植物の生育を妨げることなくエネルギーコストを低減できる優れたものである。
【００７９】
また、本発明は、光合成が活発に行われない夜間は、天井部に設けた天窓を開放して、農業ハウス内の温度を翌日の日中の温度上昇に備えて低下させることができ、しかも、所定の間隔で複数の貫通孔を形成した熱線遮蔽手段を用いることにより、農業ハウス下部の日中に加熱された空気を熱線遮蔽手段を通して外部に逃がすことができ、さらに、夜間、特に朝方に、屋根に近接する上部の空気が冷やされた場合でも、熱線遮蔽手段下面に生じた結露が水滴となって植物に当たり、植物の果実、葉、花等が変色、劣化する等の品質低下を生じたり、フィルム自体に劣化が生じるのを防止することができる優れたものである。
【００８０】
また、本発明では、日中は天井部に設けた天窓を閉鎖して、農業ハウス内の水分が外部に逃げにくくなるため、植物への供給水量を少なくでき、乾燥地域等においても植物を栽培することができる優れたものである。
【００８１】
また、本発明では、所定の間隔で複数の貫通孔を形成した熱線遮蔽手段を用いることにより、紫外線透過率を、果実の着色、ハチによる受粉活動を阻害しない範囲に調整することができる優れたものである。
【実施例】
【００８２】
以下、実施例・比較例により、本発明をさらに詳細に説明する。
【００８３】
１．熱線遮断フィルム
熱線遮断フィルムとして、熱線反射タイプフィルム（以下、「フィルムＡ」という。）及び熱線吸収タイプのフィルム（以下、「フィルムＢ」という。）を熱線遮断フィルムとして用いて、農業ハウス内の温度上昇を比較した。
【００８４】
フィルムＡとして、次のような構造、物性等を有するフィルムを用いた。
＊第１の層（ＰＥＮ樹脂、１３７層）と第２の層（ＰＥＴＧ樹脂、１３８層）とが交互に
積層された積層部を有し、この積層部の両表面に保護層（ＰＥＮ樹脂、２層）を設けた
二軸延伸積層ポリエステルフィルム
＊ＰＥＮ樹脂：固有粘度（オルトクロロフェノール、３５℃）０．６２ｄｌ／ｇのポリエ
チレン−２，６−ナフタレート
＊ＰＥＴＧ樹脂：シクロヘキサンジメタノールを３０ｍｏｌ％共重合した固有粘度（オル
トクロロフェノール、３５℃）０．７７ｄｌ／ｇのシクロヘキサンジメタノール共重合
ポリエチレンテレフタレート
＊積層部の厚み：４０μｍ、各保護層の厚み：５μｍ、全厚み：５０μｍ
＊積層部の第１の層と第２の層の光学厚み比が等しくなるように、第１の層、第２の層の
厚さを調整
＊平均透過率：８８％、熱線の平均反射率：７５％
また、フィルムＢとして、市販されている熱線吸収タイプのフィルム（商品名「メガクール」、三菱樹脂アグリドリーム株式会社製）を用いた。
【００８５】
フィルムＡ、フィルムＢを、天窓を閉鎖し密閉された農業ハウスの上部に張り渡し、農業ハウス内の温度を測定した。その結果を表１に示す。表１のグラフの縦軸は農業ハウス内の温度（℃）、横軸は時刻（０時〜２４時）を表す。
【００８６】
表１からわかるように、太陽光を利用する、農業ハウスにおいて用いられる熱線遮断フィルムとして、フィルムＡのような熱線反射タイプのものを用いることにより、フィルムＢのような熱線吸収タイプのものを用いた場合に比べ、密閉された農業ハウス内の温度の上昇を抑えることができる。
【００８７】
【表１】
2017153475.tif 000003
【００８８】
２．実施例１〜５、比較例１〜２
フィルムＡを用いて、次のようにして熱線遮蔽手段を作成し、これらの性能を調べた。結果を表２に示す。
【００８９】
１）実施例１〜３および比較例２の熱線遮蔽手段
フィルムＡを裁断した細帯状テープを経糸にして織機に掛け、透明な糸を横入れして織って、図２（ａ）に示されるような熱線遮蔽手段を作成した。
【００９０】
具体的には、フィルムＡをスリットし、短手方向の幅が４．５ｍｍのフラットヤーンを作成し、このフラットヤーンを経糸とし、高密度ポリエチレン樹脂製のモノフィラメント（繊度：５５０ｄｔｅｘ、引張強度：２９Ｎ／本、伸度：３５％）を緯糸として、織機で熱線遮蔽手段を製織した。
【００９１】
経糸のフラットヤーンの間隔を調整することにより、表２に示すような開孔率を有する熱線遮蔽手段を得た。
【００９２】
２）実施例４の熱線遮蔽手段
上記実施例１の熱線反射フィルムの作成において、フラットヤーンとして、フィルムＡから得られたフラットヤーン（フラットヤーンａ）と共に、ポリエチレンフィルムから得られた同形状のフラットヤーン（フラットヤーンｂ）を用い、経糸として、フラットヤーンａの１０本毎に、フェラットヤーンｂを１本配置するようにし、その他は実施例１と同様にして、織機で熱線遮蔽手段を製織した。
【００９３】
３）実施例５および比較例１の熱線遮蔽手段
実施例５では、フィルムＡに、同じ円形の貫通孔を等間隔で穿設し開孔率を３％としたものを、熱線遮蔽手段として使用した。
また、比較例１では、フィルムＡをそのまま熱線遮蔽手段として使用した。
【００９４】
【表２】
2017153475.tif 000004
【００９５】
表２からわかるように、フィルムＡのような熱線反射フィルムを用いて形成すること及び適度の開孔を設けることにより、熱線遮断手段を、通気性を有すると共に適度の紫外線透過率を有するものとすることができる。さらに、織編物構造とすることにより、熱線遮蔽手段を、巻取り性、耐ブロッキング性、耐引裂性、耐久性等が良好なものとすることができる。
【符号の説明】
【００９６】
１        農業ハウス
２        ＣＯ２供給手段
３        熱線遮蔽手段
４        除湿冷却手段
５        天窓
７        細帯状テープ
８        透明な糸
１０１    （農業ハウスの）天井部
１０２    （農業ハウスの）栽培部
１０３    サニーコート
１０４    近赤外線吸収フィルム
１０５    天窓
１０６    ＣＯ２発生装置
１０７    ヒートポンプ
【図１】
2017153475.tif 000005
【図２】
2017153475.tif 000006
【図３】
2017153475.tif 000007